【手続補正書】
【提出日】平成18年5月2日(2006.5.2)
【手続補正１】
【補正対象書類名】明細書
【補正対象項目名】発明の名称
【補正方法】変更
【補正の内容】
【発明の名称】送信装置、音響システム、チャンネル設定方法
【手続補正２】
【補正対象書類名】明細書
【補正対象項目名】特許請求の範囲
【補正方法】変更
【補正の内容】
【特許請求の範囲】
【請求項１】
無線により複数チャンネルの情報を複数の情報出力装置に送信する送信装置であって、
各情報出力装置の位置情報を取得する位置情報取得手段と、
前記位置情報に基づいて各情報出力装置が担当するチャンネルを設定する担当チャンネル設定手段と、
を備える、ことを特徴とする送信装置。
【請求項２】
複数の音声出力手段と、
前記前記複数の音声出力手段に対し無線により複数チャンネルの音声情報を送信する送信手段と、
前記複数の音声出力手段の位置情報を取得する位置情報取得手段と、
前記位置情報に基づいて各音声出力手段が担当するチャンネルを設定する担当チャンネル設定手段と、を備える、
ことを特徴とする音響システム。
【請求項３】
前記位置情報は位置情報取得手段と各音声出力手段とが形成する角度である、
ことを特徴とする請求項２に記載の音響システム。
【請求項４】
前記位置情報取得手段はさらにユーザの位置情報を取得することができ、
前記各音声出力手段の位置情報と前記ユーザの位置情報に基づき各音声出力手段の出力レベルを設定する出力レベル設定手段を、さらに備える、
ことを特徴とする請求項２に記載の音響システム。
【請求項５】
送信装置から複数のスピーカに対し無線により複数チャンネルの音声情報を送信する音響システムにおけるチャンネル設定方法であって、
各情報提示装置の位置情報を取得する位置情報取得工程と、
前記位置情報に基づいて各情報提示装置が担当するチャンネルを設定する担当チャンネル設定工程と、
を備える、ことを特徴とするチャンネル設定方法。
【手続補正３】
【補正対象書類名】明細書
【補正対象項目名】０００８
【補正方法】変更
【補正の内容】
【０００８】
本発明は、上記課題を解決するためになされたものであって、ランダムに配置された複数の受信装置に夫々異なる情報を送信することができる送信装置を提供することを目的とする。
【手続補正４】
【補正対象書類名】明細書
【補正対象項目名】０００９
【補正方法】変更
【補正の内容】
【０００９】
また、本発明は、ランダムに配置された複数のスピーカの担当チャンネルを設定することができる音響システム、及びチャンネル設定方法を提供することを目的とする。
【手続補正５】
【補正対象書類名】明細書
【補正対象項目名】００１０
【補正方法】変更
【補正の内容】
【００１０】
さらに、本発明は、複数チャンネルの音声情報を無線でスピーカに送信して再生することができる音響システムを提供することを目的とする。
【手続補正６】
【補正対象書類名】明細書
【補正対象項目名】００１１
【補正方法】変更
【補正の内容】
【００１１】
また、本発明は、高音質なサラウンド効果を得ることができる音響システムを提供することを目的とする。
【手続補正７】
【補正対象書類名】明細書
【補正対象項目名】００１２
【補正方法】変更
【補正の内容】
【００１２】
【課題を解決するための手段】
上記目的を達成するため、本発明の第１の観点に係る送信装置は、
無線により複数チャンネルの情報を複数の情報出力装置に送信する送信装置であって、
各情報出力装置の位置情報を取得する位置情報取得手段と、
前記位置情報に基づいて各情報出力装置が担当するチャンネルを設定する担当チャンネル設定手段と、
を備える、ことを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】変更
【補正の内容】
【００２０】
上記目的を達成するため、本発明の第２の観点に係る音響システムは、
複数の音声出力手段と、
前記前記複数の音声出力手段に対し無線により複数チャンネルの音声情報を送信する送信手段と、
前記複数の音声出力手段の位置情報を取得する位置情報取得手段と、
前記位置情報に基づいて各音声出力手段が担当するチャンネルを設定する担当チャンネル設定手段と、を備える、
ことを特徴とする。
【手続補正１６】
【補正対象書類名】明細書
【補正対象項目名】００２１
【補正方法】変更
【補正の内容】
【００２１】
また、上記構成において、前記位置情報は位置情報取得手段と各音声出力手段とが形成する角度である、としてもよい。
【手続補正１７】
【補正対象書類名】明細書
【補正対象項目名】００２２
【補正方法】変更
【補正の内容】
【００２２】
さらに、上記構成において、前記位置情報取得手段はさらにユーザの位置情報を取得することができ、前記各音声出力手段の位置情報と前記ユーザの位置情報に基づき各音声出力手段の出力レベルを設定する出力レベル設定手段を、さらに備えてもよい。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】変更
【補正の内容】
【００３３】
上記目的を達成するため、本発明の第３の観点に係るチャンネル設定方法は、
送信装置から複数のスピーカに対し無線により複数チャンネルの音声情報を送信する音響システムにおけるチャンネル設定方法であって、
各情報提示装置の位置情報を取得する位置情報取得工程と、
前記位置情報に基づいて各情報提示装置が担当するチャンネルを設定する担当チャンネル設定工程と、
を備える、ことを特徴とする。
【手続補正２９】
【補正対象書類名】明細書
【補正対象項目名】００３４
【補正方法】削除
【補正の内容】
【手続補正３０】
【補正対象書類名】明細書
【補正対象項目名】０２３２
【補正方法】変更
【補正の内容】
【０２３２】
【発明の効果】
本発明により、ランダムに配置された複数の受信装置に夫々異なる情報を送信することができる送信装置を提供することができる。
【手続補正３１】
【補正対象書類名】明細書
【補正対象項目名】０２３３
【補正方法】変更
【補正の内容】
【０２３３】
また、本発明により、ランダムに配置された複数のスピーカの担当チャンネルを設定することができる音響システム、及びチャンル設定方法を提供することができる。
【手続補正３２】
【補正対象書類名】明細書
【補正対象項目名】０２３４
【補正方法】変更
【補正の内容】
【０２３４】
さらに、本発明により複数チャンネルの音声情報を無線でスピーカに送信して再生することができる音響システムを提供することができる。
【手続補正３３】
【補正対象書類名】明細書
【補正対象項目名】０２３５
【補正方法】変更
【補正の内容】
【０２３５】
また、本発明により、高音質なサラウンド効果を得ることができる音響システムを提供することができる。